(57)【要約】【課題】厚さが異なる壁材や天井材にも対応可能で、且つ、容易・確実に取付けることができる給排気レジスタ用ソケットを提供すること。【解決手段】給排気レジスタ用ソケット１０は、両端にレジスタ取付口１２とダクト接続口１３を具えた管状のソケット本体１１と、給排気口の内径よりも大きな外径寸法のフランジ部２２を有する一対のフランジ付きナット２１ａ，２１ｂからなる。ソケット本体１１のレジスタ取付側外周に雄螺子部１４が設けられ、フランジ付きナット２１ａ，２１ｂ内周に雌螺子部が設けられ、雄螺子部１４に雌螺子部が螺合されることにより、壁材又は天井材の両側から、フランジ付きナット２１ａ，２１ｂのフランジ部２２，２２で壁材又は天井材を挟持する。【選択図】図４
2006317057.tif 000002
【特許請求の範囲】
【請求項１】
壁材又は天井材に穿設された給排気口にレジスタを取付けるためのソケットであって、
両端にレジスタ取付口とダクト接続口を具えた管状のソケット本体と、前記給排気口の内径よりも大きな外径寸法のフランジ部を有する一対のフランジ付きナットからなり、
前記ソケット本体のレジスタ取付側外周に雄螺子部が設けられ、前記フランジ付きナット内周に前記雄螺子部と螺合する雌螺子部が設けられ、前記雄螺子部に前記雌螺子部が螺合されることにより、前記壁材又は天井材の内側と外側から前記一対のフランジ付きナットのフランジ部が前記壁材又は天井材を挟持することを特徴とする、
給排気レジスタ用ソケット。
【発明の詳細な説明】
【技術分野】
【０００１】
本発明は、換気システムにおける給排気口のレジスタを天井面や壁面に取付けるためのソケットに関する。
【背景技術】
【０００２】
従来、住宅等の建築物の天井面や壁面に穿設された換気用ダクト開口部、すなわち、給排気口は、通常、レジスタ又はグリルによって塞がれて使用される。このレジスタ又はグリルを給排気口に取付け支持するための部材として、例えば、特許文献１や特許文献２に示されているものがある。
特許文献１のグリル取付用部品は、第１ブラケットと第２ブラケットから構成され、壁材の裏側に配設されたダクトの先端部に第１ブラケットを取付けた後、これを壁材に穿設された差込孔に嵌挿し、次いで、室内側から第２部ブラケットで壁材を挟んで第１ブラケットに挿入し、最後に第１ブラケット及び第２ブラケットを壁材にビス止めして固定される。
また、特許文献２の給排気用グリルの継手筒は、筒部に複数個の翼片と、端部にフランジが設けられており、この翼片とフランジとで取付口の開口縁が挟持され、翼片の弾性力によって取付口に固定されるようになっている。
【特許文献１】特開平９−３２４４７３号公報
【特許文献２】特開平１１−２９４８１５号公報
【発明の開示】
【発明が解決しようとする課題】
【０００３】
しかし、特許文献１のグリル取付用部品は、第１ブラケットが雌管と雌管用座金から構成され、第２ブラケットが雄管と雄管用座金から構成されるため、部品点数が多いうえに、両ブラケットを固定する際にビス止めする必要があるため、工程数が増えて作業が煩雑になり、作業コストが高くなるという問題がある。
一方、特許文献２の継手筒は、取付けの際にビス止め等の締結具を用いる必要がなく、特許文献１のグリル取付用部品と比べて取付作業を簡略化させることができるが、翼片の弾性力だけで取付口に固定されるため、長期間の使用で翼片の弾力が損なわれた場合に継手筒が遊動するという不具合を生じ、信頼性に欠ける。
また、特許文献２の継手筒は、翼片に傾斜縁が形成されており、壁材の厚み寸法の増加に伴って、この傾斜縁の壁材との接当位置が傾斜縁の突端側へと移動することにより、壁材の厚さの変化に対応しているため、調整範囲は数mm程度が限界であり、壁材の厚さが異なる場合に広範に対応できないという問題がある。
【０００４】
本発明は、上記の点に鑑み、如何なる厚さの壁材や天井材にも容易に、且つ、確実に取付けることができる給排気レジスタ用ソケットを提供することを目的とする。
【課題を解決するための手段】
【０００５】
本発明は、  壁材又は天井材に穿設された給排気口にレジスタを取付けるためのソケットであって、
両端にレジスタ取付口とダクト接続口を具えた管状のソケット本体と、前記給排気口の内径よりも大きな外径寸法のフランジ部を有する一対のフランジ付きナットからなり、
前記ソケット本体のレジスタ取付側外周に雄螺子部が設けられ、前記フランジ付きナット内周に前記雄螺子部と螺合する雌螺子部が設けられ、前記雄螺子部に前記雌螺子部が螺合されることにより、前記壁材又は天井材の内側と外側から前記一対のフランジ付きナットのフランジ部が前記壁材又は天井材を挟持することを特徴とする給排気レジスタ用ソケットによって前記の課題を解決した。
【発明の効果】
【０００６】
本発明によれば、壁材や天井材の厚さに応じて、ソケット本体に対するフランジ付きナットの位置を自由に調節できるため、容易に、且つ、確実に取付けることができる。また、部品点数が少なく、ビス止め作業も不要となるため、取付作業が迅速に行われ、作業効率が向上するという効果を奏する。
【発明を実施するための最良の形態】
【０００７】
以下に、本発明の給排気レジスタ用ソケットの実施形態を図面に基づいて説明する。なお、本明細書の「ソケット」とは、レジスタを壁材又は天井材に穿設された給気口又は排気口に取付け支持するための取付部材をいう。なお、以下、「壁材又は天井材」の意味で、単に「壁材」という。
図１は本発明の給排気レジスタ用ソケット（以下、省略して「ソケット」という。）１０の分解斜視図である。ソケット１０は、ソケット本体１１と、一対のフランジ付きナット２１ａ及び２１ｂから構成される。
ソケット本体１１とフランジ付きナット２１ａ，ｂの材質は、ポリエチレン樹脂等のプラスチックが用いられる。
【０００８】
図２はソケット本体１１の側面図であり、図３はフランジ付きナット２１ａを軸心で切った縦断面図である。
図１〜図３に示すように、ソケット本体１１は、レジスタ取付口１２とダクト接続口１３を具えた直角エルボ管であり、レジスタ取付側外周にはフランジ付きナット２１ａ，２１ｂの位置を調整するための手段として雄螺子部１４が形成され、雄螺子部１４のダクト接続側終端には、全周に亘って回転止めの凸部１５が設けられている。
フランジ付きナット２１ａ，２１ｂは、壁材に設けられた給排気口の内径よりも大きな外径寸法を有するフランジ部２２を具え、内周には本体１１の雄螺子部１４と螺合する雌螺子部２３が形成され、雄螺子部１４に沿ってソケット本体１１に対して移動するようになっている。
【０００９】
図４は、雄螺子部１４にフランジ付きナット２１ａ及びフランジ付きナット２１ｂの雌螺子部２３が螺合された状態、すなわち、ソケット本体１１に、フランジ付きナット２１ａ，２１ｂが取付けられた状態を示す斜視図である。
ソケット本体１１は、室外側のフランジ付きナット２１ａと室内側のフランジ付きナット２１ｂの間で給排気口（図示せず。）に嵌挿され、壁材（図示せず。）の両側、すなわち、室内側及び室外側から各フランジ付きナット２１ａ，２１ｂで壁材を挟持し、各フランジ面２４で壁面を締付けることにより、ソケット本体１１が給排気口に固定される。
【００１０】
フランジ付きナット２１ａとフランジ付きナット２１ｂ間の距離は、各フランジ付きナット２１ａ，２１ｂを雄螺子部１４に沿って移動させることにより、適宜調節される。
図４に示したソケット１０の場合、壁材の厚さに応じて０〜３．５cmの範囲で調節が可能であるが、図４に示すよりも雄螺子部１４を軸方向に長く形成した場合には、さらに適用範囲が広がり、如何なる厚さの壁材に対しても取付けが可能となる。
【００１１】
次に、ソケット１０を、排気レジスタ用ソケットに適用した施工例を説明する。図５は、ソケット１０が、天井板３１に穿設された排気口３２に取付けられた状態の一部を断面で示した概略図である。なお、天井板３１には、予め、排気口３２が穿設されている。
まず、ソケット本体１１にフランジ付きナット２１ａを取付ける。フランジ付きナット２１ａの取付深さは、天井板３１の厚さと室内側のフランジ付きナット２１ｂの軸方向の厚さの和である。
次に、フレキシブルダクト３２の端部をソケット本体１１のダクト接続口１３に外嵌し、テープを巻きつけて固定した後、ダクト３２の曲がりや位置を修正し、ソケット本体１１をバンド３３で吊る。
天井板３１を貼った後、排気口３２にソケット本体１１の雄螺子部１４を嵌挿し、室内側よりフランジ付きナット２１ｂを雄螺子部１４に取付けて壁面を締付け、ソケット本体１１を天井板３１に固定する。ソケット本体１１を天井板３１にしっかりと固定するために、室内側のフランジ付きナット２１ｂの下端と雄螺子部１４の下端が一致するまで、フランジ付きナット２１ｂをねじ込む。
【００１２】
図５に示すように、本発明のソケット１０に取付けられる排気レジスタ４０は、固定用の弾性腕部４１が設けられ、ソケット本体１１のレジスタ取付口１２からソケット本体１１内部に押込まれた際に、弾性腕部４１がソケット本体１１の内壁に圧接することにより、ソケット本体１１の内壁に固定される。この排気レジスタ４０の構造は従来技術であるので、詳細な説明を省略する。
【００１３】
なお、本発明のソケット１０は、上述した実施形態に限定されるものではなく、本発明の要旨を逸脱しない範囲で変更することができる。例えば、本実施形態ではソケット本体１１の形状を直角エルボにしたが、フレキシブルダクト３２のほうを直角に曲げる場合には、ソケット本体１１は真直ぐな円筒形状でよい。
また、本実施形態では、排気レジスタを天井板に取付けるためのソケットについて説明したが、給気レジスタを壁板に取付けるためのソケットにも同様に適用することができる。
【００１４】
以上説明したように、本発明の給排気レジスタ用ソケットは、壁材の厚さに応じて、ソケット本体に対するフランジ付きナットの位置を自由に調節でき、且つ、フランジ付きナットのフランジ部で、壁材を内側と外側から挟持するという簡単な作業で、給排気口にソケット本体を確実に取付けることができるので、作業効率を大幅に向上させることができる。
【図面の簡単な説明】
【００１５】
【図１】本発明の給排気レジスタ用ソケットの分解斜視図。
【図２】ソケット本体の側面図。
【図３】フランジ付きナットの軸方向断面図。
【図４】ソケット本体にフランジ付きナットが取付けられた状態を示す斜視図。
【図５】本発明の給排気レジスタ用ソケットを排気レジスタ用ソケットに適用した施工例を一部断面で示した概略図。
【符号の説明】
【００１６】
１０： 給排気レジスタ用ソケット
１１： ソケット本体
１２： レジスタ取付口
１３： ダクト接続口
１４： 雄螺子部
２１ａ，２１ｂ： フランジ付きナット
２２： フランジ部
２３： 雌螺子部
３１： 壁材（又は天井材）
３２： 給排気口
４０： レジスタ
【図１】
2006317057.tif 000003
【図２】
2006317057.tif 000004
【図３】
2006317057.tif 000005
【図４】
2006317057.tif 000006
【図５】
2006317057.tif 000007